(57)【要約】      （修正有）【課題】普通のサイフとして使用することは勿論、ハンドバッグやポシェットとしても使用することができるスリーウェイサイフを提供する。【解決手段】スリーウェイサイフ１０は、サイフ本体１２と、このサイフ本体１２に着脱可能なハンドバッグ用ベルト１４とポシェット用ベルト１６を有している。前記サイフ本体１２は第１サイフ体２０、第２サイフ体、第３サイフ体によって形成されている。前記第１サイフ体２０の一端部と前記第２サイフ体の他端部にはループ５８が取り付けられている。これらループ５６には前記ハンドバッグ用ベルト１４、ポシェット用ベルト１６の一端部と他端部に取り付けられたナス環５８が着脱可能に取り付けられるようになっている。【選択図】図１
0003176000.tif 000002
【実用新案登録請求の範囲】
【請求項１】
サイフ本体と、このサイフ本体に着脱可能なハンドバッグ用ベルトと、前記サイフ本体に着脱可能なポシェット用ベルトと、を備えてなるスリーウェイサイフであって、前記サイフ本体の一端部及び他端部に設けられたサイフ本体用係止具と、前記ハンドバッグ用ベルト及び前記ポシェット用ベルトの一端部と他端部に設けられて前記サイフ本体用係止具と係止可能なベルト用係止具と、を有してなることを特徴とするスリーウェイサイフ。
【請求項２】
サイフ本体と、このサイフ本体に着脱可能なハンドバッグ用ベルトと、前記サイフ本体に着脱可能なポシェット用ベルトと、を備えてなるスリーウェイサイフであって、前記サイフ本体を構成する第１サイフ体と、この第１サイフ体と共にサイフ本体を構成する第２サイフ体と、前記第１サイフ体と第２サイフ体の間に設けられると共に前記サイフ本体を構成する第３サイフ体と、前記サイフ本体の一端部及び他端部に設けられたサイフ本体用係止具と、前記ハンドバッグ用ベルト及び前記ポシェット用ベルトの一端部と他端部に設けられて前記サイフ本体用係止具と係止可能なベルト用係止具と、を有してなることを特徴とするスリーウェイサイフ。
【請求項３】
サイフ本体と、このサイフ本体に着脱可能なハンドバッグ用ベルトと、前記サイフ本体に着脱可能なポシェット用ベルトと、を備えてなるスリーウェイサイフであって、前記サイフ本体を構成する第１サイフ体と、この第１サイフ体と共にサイフ本体を構成する第２サイフ体と、前記第１サイフ体と第２サイフ体の間に設けられると共に前記サイフ本体を構成する第３サイフ体と、前記第１サイフ体に形成された第１サイフ体収容部と、前記第２サイフ体に形成された第２サイフ体収容部と、前記第３サイフ体に形成された第３サイフ体収容部と、前記サイフ本体の一端部及び他端部に設けられたループと、前記ハンドバッグ用ベルト及び前記ポシェット用ベルトの一端部と他端部に設けられて前記ループと係止可能なナス環と、を有してなることを特徴とするスリーウェイサイフ。
【考案の詳細な説明】
【技術分野】
【０００１】
本考案は、通常のサイフとしては勿論、ハンドバッグ、ポシェットとしても使用することができるスリーウェイサイフに関する。
【背景技術】
【０００２】
従来から紙幣、コインやキャッシュカード、クレジットカード、ポイントカード等の各種カード等を収容するサイフは広く使用されている。
しかし、従来のサイフは紙幣、コインや各種カードを収容するサイフ本体のみから形成されており、洋服のポケットやカバン、ハンドバッグ等に収容されて携帯されている（特許文献１）。
このため、従来のサイフの構成では洋服のポケットやカバン、ハンドバッグ等に収容されて携帯される使用態様がほとんどで、サイフをハンドバッグやポシェットとして使用することはできなかった。
【先行技術文献】
【特許文献】
【０００３】
【特許文献１】実用新案登録第３０４３７２６号公報
【考案の概要】
【考案が解決しようとする課題】
【０００４】
本考案は、上記事実に鑑みなされたものであり、通常のサイフとして使用することは勿論、ハンドバッグとして、あるいはポシェットとしての３通りの使用態様で使用できるスリーウェイサイフを提供するものである。
【課題を解決するための手段】
【０００５】
請求項１の考案は、サイフ本体と、このサイフ本体に着脱可能なハンドバッグ用ベルトと、前記サイフ本体に着脱可能なポシェット用ベルトと、を備えてなるスリーウェイサイフであって、前記サイフ本体の一端部及び他端部に設けられたサイフ本体用係止具と、前記ハンドバッグ用ベルト及び前記ポシェット用ベルトの一端部と他端部に設けられて前記サイフ本体用係止具と係止可能なベルト用係止具と、を有してなることを特徴としている。
請求項２の考案は、サイフ本体と、このサイフ本体に着脱可能なハンドバッグ用ベルトと、前記サイフ本体に着脱可能なポシェット用ベルトと、を備えてなるスリーウェイサイフであって、前記サイフ本体を構成する第１サイフ体と、この第１サイフ体と共にサイフ本体を構成する第２サイフ体と、前記第１サイフ体と第２サイフ体の間に設けられると共に前記サイフ本体を構成する第３サイフ体と、前記サイフ本体の一端部及び他端部に設けられたサイフ本体用係止具と、前記ハンドバッグ用ベルト及び前記ポシェット用ベルトの一端部と他端部に設けられて前記サイフ本体用係止具と係止可能なベルト用係止具と、を有してなることを特徴としている。
請求項３の考案は、サイフ本体と、このサイフ本体に着脱可能なハンドバッグ用ベルトと、前記サイフ本体に着脱可能なポシェット用ベルトと、を備えてなるスリーウェイサイフであって、前記サイフ本体を構成する第１サイフ体と、この第１サイフ体と共にサイフ本体を構成する第２サイフ体と、前記第１サイフ体と第２サイフ体の間に設けられると共に前記サイフ本体を構成する第３サイフ体と、前記第１サイフ体に形成された第１サイフ体収容部と、前記第２サイフ体に形成された第２サイフ体収容部と、前記第３サイフ体に形成された第３サイフ体収容部と、前記サイフ本体の一端部及び他端部に設けられたループと、前記ハンドバッグ用ベルト及び前記ポシェット用ベルトの一端部と他端部に設けられて前記ループと係止可能なナス環と、を有してなることを特徴としている。
【考案の効果】
【０００６】
本考案のスリーウェイサイフは、サイフ、ハンドバッグ、ポシェットとして使用することができるので、一つのサイフでありながら３通りの使用態様を楽しむことができるという優れた効果を有する。
本考案のスリーウェイサイフは、ハンドバッグ、ポシェットとして使用することができるので、洋服のポケット等に入らない場合やファッション的にハンドバッグやポシェットとして使用したい場合はハンドバッグやポシェットとして使用することができるという優れた効果を有する。
【図面の簡単な説明】
【０００７】
【図１】実施例のスリーウェイサイフの正面図である。
【図２】実施例のスリーウェイサイフのサイフ本体の全体斜視図である。
【図３】実施例のスリーウェイサイフのサイフ本体の開口部を開いた状態の全体斜視図である。
【図４】実施例のスリーウェイサイフをハンドバッグとして使用した場合の全体斜視図である。
【図５】実施例のスリーウェイサイフをポシェットとして使用した場合の全体斜視図である。
【考案を実施するための形態】
【０００８】
考案を実施するために最良の形態の例として以下のような実施例を示す。
【実施例１】
【０００９】
図１〜図５には本考案に係るスリーウェイサイフの一実施例が示されている。
図１に示されるように、実施例のスリーウェイサイフ１０は、サイフ本体１２と、このサイフ本体１２に着脱可能なハンドバッグ用ベルト１４及びポシェット用ベルト１６と、から構成されている。
図２及び図３に示されるように、前記サイフ本体１２は、第１サイフ体２０と、第２サイフ体２２と、第１サイフ体２０と第２サイフ体２２の間に設けられた第３サイフ体２４と、によって構成されている。
図３に示されるように、前記第１サイフ体２０には主に紙幣、コイン等を収容する第１サイフ体収容部２６が形成され、前記第２サイフ体２２には主に紙幣、コイン等を収容する第２サイフ体収容部２８が形成されている。
前記第１サイフ体２０の第１サイフ体外側面３０の上端縁と前記第２サイフ体２２の第２サイフ体外側面３２の上端縁にはそれぞれサイフ本体ファスナー３４,３４が設けられ、サイフ本体ファスナー３４,３４のファスナースライダー３６をスライドさせることにより、前記サイフ本体１２の開口部３８を開閉できるようになっている。
前記第１サイフ体２０のサイフ体外側面３０には適宜物品を入れることができるポケット４０が形成されている。このポケット４０の開口部にはファスナー４２が設けられ、ファスナースライダー４３をスライドさせることによりポケット４０を開閉できるようになっている。
前記第１サイフ体２０のサイフ体内側面４４の外側にはキャッシュカード、クレジットカード、ポイントカード等の各種カードを入れることができるカード収容部（図示せず）が上下方向に複数形成されている。
また、前記第２サイフ体２２のサイフ体内側面４６の外側にもキャッシュカード、クレジットカード、ポイントカード等の各種カードを入れることができるカード収容部４８が上下方向に複数形成されている。
前記第３サイフ体２４にも主に紙幣、コイン等を収容する第３サイフ体収容部５０が形成されている。この第３サイフ体収容部５０の開口部にはファスナー５２が設けられ、ファスナースライダー５４をスライドさせることにより第３サイフ体収容部５０を開閉できるようになっている。
図１及び図２に示されるように、前記第１サイフ体２０の一端部と前記第２サイフ体２２の他端部にはそれぞれサイフ本体用係止具としてのループ５６が取り付けられている。
図１に示されるように、このループ５６，５６には前記サイフ本体１２と共にスリーウェイサイフ１０を構成するハンドバッグ用ベルト１４、ポシェット用ベルト１６が着脱可能に取り付けられるようになっている。
前記ハンドバッグ用ベルト１４の一端部と他端部及びポシェット用ベルト１６の一端部と他端部には前記ループ５６と係止可能なベルト用係止具としてのナス環５８がそれぞれ取り付けられている。
【００１０】
次に、実施例のスリーウェイサイフ１０の作用について説明する。
スリーウェイサイフ１０を通常のサイフとして使用する場合は、図２及び図３に示すように前記サイフ本体１２にハンドバッグ用ベルト１４及びポシェット用ベルト１６を取り付けない。
従って、図２に示されるようにスリーウェイサイフ１０はサイフ本体１２だけになるので通常のサイフとして洋服のポケットやカバン等に入れて携帯して使用することができる。
前記サイフ本体１２に紙幣やコイン等を入れる場合は図３に示されるようにファスナースライダー３６をスライドさせてサイフ本体１２の開口部３８を開くことにより、第１サイフ体２０の第１サイフ体収容部２６又は第２サイフ体２２の第２サイフ体収容部２８に紙幣やコイン等を入れることができる。
また、第３サイフ体２４の第３サイフ体収容部５０に紙幣やコイン等を入れたい場合はファスナースライダー５４をスライドさせて第３サイフ体収容部５０を開くことにより第３サイフ体収容部５０に紙幣やコイン等を入れることができる。
なお、キャッシュカード、クレジットカード、ポイントカード等の各種カードは第１サイフ体２０のサイフ体内側面４４の外側に形成されたカード収容部（図示せず）や第２サイフ体２２のサイフ体内側面４６の外側に形成されたカード収容部４８に整理して収容することができる。
【００１１】
前記スリーウェイサイフ１０をハンドバッグとして使用する場合は、図４に示されるように前記サイフ本体１２にハンドバッグ用ベルト１４を取り付ける。これにより、スリーウェイサイフ１０をハンドバッグとして使用することができる。
【００１２】
前記スリーウェイサイフ１０をポシェットとして使用する場合は、図５に示されるように前記サイフ本体１２にポシェット用ベルト１６を取り付ける。これにより、スリーウェイサイフ１０をポシェットとして使用することができる。
【００１３】
この結果、実施例のスリーウェイサイフ１０は、サイフ、ハンドバッグ、ポシェットとして使用することができるので、サイフでありながら３通りの使用態様を楽しむことができる。
また、スリーウェイサイフ１０は、ハンドバッグ、ポシェットとして使用することができるので、洋服のポケット等に収容したくない場合やファッション的にハンドバッグ、ポシェットとして使用したい場合はハンドバッグやポシェットとして使用することができるので、ファッション的にも新しいサイフとして楽しむことができる。
【００１４】
なお、実施例のスリーウェイサイフ１０のサイフ本体１２は、第１サイフ体２０と第２サイフ体２２と第３サイフ体２４の３つのサイフ体から構成したものを示したが、サイフ本体１２の構成は紙幣等を収容する収容体が設けられていれば、よりシンプルな構成やより複雑な構成でもよいことは勿論である。
また、実施例ではサイフ本体用係止具としてループ５６を示したが、サイフ本体用係止具は係止具であればループに限定されるものでないことは勿論である。
また、実施例ではベルト用係止具としてナス環５８を示したが、ベルト用係止具は前記サイフ本体用係止具と係止可能な係止具であればナス環５８に限定されるものでないことは勿論である。
【産業上の利用可能性】
【００１５】
本考案のスリーウェイサイフは、紙幣や各種カード以外のものを収容する場合にも使用することができる。
【符号の説明】
【００１６】
１０    スリーウェイサイフ
１２    サイフ本体
１４    ハンドバッグ用ベルト
１６    ポシェット用ベルト
２０    第１サイフ体
２２    第２サイフ体
２４    第３サイフ体
２６    第１サイフ体収容部
２８    第２サイフ体収容部
３０    第１サイフ体外側面
３２    第２サイフ体外側面
３４    サイフ本体ファスナー
３６    ファスナースライダー
３８    開口部
４０    ポケット
４２    ファスナー
４３    ファスナースライダー
４４    サイフ体内側面
４６    サイフ体内側面
４８    カード入収容部
５０    第３サイフ体収容部
５２    ファスナー
５４    ファスナースライダー
５６    ループ
５８    ナス環
【図１】
0003176000.tif 000003
【図２】
0003176000.tif 000004
【図３】
0003176000.tif 000005
【図４】
0003176000.tif 000006
【図５】
0003176000.tif 000007